(57)【特許請求の範囲】
【請求項１】
袋体と、
前記袋体に取り付けられ、肩にかけることが可能な持ち手と、
一端部分が前記袋体に接続され、該一端部分に対する他端部分が前記持ち手に接続されたベルト部材とを備え、
前記ベルト部材は、前記持ち手が使用者の肩にかけられて使用する場合に、前記持ち手がかけられた使用者の肩とは反対側の肩が存在する体側に向かって該袋体およびこのベルト部材が接続された持ち手を引っ張り、該袋体の一部が使用者の背中に接触した状態を維持するものであることを特徴とするバッグ。
【請求項２】
第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に接続されたベルト部材とを備え、
前記ベルト部材は、前記第１胴側の部分が該第１胴とは離間自在なものであることを特徴とするバッグ。
【請求項３】
第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続され、該一端部分に対する他端部分が前記第２持ち手に接続されたベルト部材とを備え、
前記ベルト部材は、前記一端部分と前記他端部分との間の部分が前記第１胴とは離間自在なものであることを特徴とするバッグ。
【請求項４】
袋体と、
前記袋体に取り付けられ、肩にかけることが可能な持ち手と、
一端部分が前記袋体に接続されたベルト部材とを備え、
前記ベルト部材は、前記一端部分に対する他端部分が前記袋体に着脱自在に接続された袋体接続状態と、該他端部分が前記持ち手に着脱自在に接続された持ち手接続状態とに状態変化可能なものであって、該持ち手接続状態において前記持ち手が使用者の肩にかけられて使用する場合に、前記持ち手がかけられた使用者の肩とは反対側の肩が存在する体側に向かって該袋体および該持ち手を引っ張り、該袋体の一部が使用者の背中に接触した状態を維持するものであることを特徴とするバッグ。
【請求項５】
第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に着脱自在に取り付けられたベルト部材とを備え、
前記ベルト部材は、前記第１胴側の部分が該第１胴とは離間自在なものであることを特徴とするバッグ。
【請求項６】
第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続されたベルト部材とを備え、
前記ベルト部材は、前記一端部分に対する他端部分が前記袋体に着脱自在に接続された袋体接続状態と、該他端部分が前記第２持ち手に着脱自在に取り付けられた第２持ち手接続状態との間で状態変化可能なものであって、少なくとも前記第２持ち手接続状態では、前記一端部分と前記他端部分との間の部分が前記第１胴とは離間自在なものであることを特徴とするバッグ。
【請求項７】
前記ベルト部材は、長さ調整可能なものであることを特徴とする請求項１から６のうちいずれか１項記載のバッグ。
【請求項８】
前記ベルト部材は、長さ方向に伸縮性を有するものであることを特徴とする請求項１から６のうちいずれか１項記載のバッグ。
【発明の詳細な説明】
【技術分野】
【０００１】
本発明は、肩にかけることが可能な持ち手を備えたバッグに関する。
【背景技術】
【０００２】
荷物の運搬に使用されるバッグは、ファッション性と機能性とを兼ね備えた服飾雑貨として人気があり、いわゆるボストンバッグやトートバッグなど多数の形態のものがある。特に、肩にかけることが可能な持ち手を袋体に取り付けたバッグは、使用者の肩にかけられた状態では両手を拘束しないので多用途に使用することが可能であり、幅広い年齢層に利用されている。
【０００３】
この肩にかけることが可能な持ち手を備えたバッグを、使用者の肩にかけて使用していると、その持ち手が肩からずれ落ちてしまうことがある。そのずれ落ち防止策として、持ち手にベルト部材を接続し、持ち手がかけられた使用者の肩とは反対側の肩が存在する体側に向かってベルト部材で持ち手を引っ張る構造のバッグが提案されている（例えば、特許文献１または特許文献２参照。）。
【先行技術文献】
【特許文献】
【０００４】
【特許文献１】特開平１０−２６２７２１号公報
【特許文献２】登録実用新案第３１１０６０２号公報
【発明の概要】
【発明が解決しようとする課題】
【０００５】
しかしながら、特許文献１または特許文献２に開示されたバッグは、持ち手を使用者の肩にかけて使用する場合に、持ち手がかけられた肩付近を揺動中心として袋体が揺れ動いてしまうという問題がある。このため、持ち手を肩にかけた状態で、例えば自転車やバイクなどに乗車して移動すると、加速や減速時に袋体が大きく揺れ動き、自転車やバイクなどの運転の妨げとなってしまう虞がある。また、揺れ動いた袋体が使用者の身体に衝突してしまう虞もある。
【０００６】
本発明は上記事情に鑑み、持ち手を肩にかけて使用する場合に袋体を安定した姿勢で所持できるバッグを提供することを目的とする。
【課題を解決するための手段】
【０００７】
上記目的を解決する本発明のうちの第１のバッグは、袋体と、
前記袋体に取り付けられ、肩にかけることが可能な持ち手と、
一端部分が前記袋体に接続され、該一端部分に対する他端部分が前記持ち手に接続されたベルト部材とを備え、
前記ベルト部材は、前記持ち手が使用者の肩にかけられて使用する場合に、前記持ち手がかけられた使用者の肩とは反対側の肩が存在する体側に向かって該袋体およびこのベルト部材が接続された持ち手を引っ張り、該袋体の一部が使用者の背中に接触した状態を維持するものであることを特徴とする。
【０００８】
上記目的を解決する本発明のうちの第２のバッグは、第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に接続されたベルト部材とを備え、
前記ベルト部材は、前記第１胴側の部分が該第１胴とは離間自在なものであることを特徴とする。
【０００９】
上記目的を解決する本発明のうちの第３のバッグは、第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続され、該一端部分に対する他端部分が前記第２持ち手に接続されたベルト部材とを備え、
前記ベルト部材は、前記一端部分と前記他端部分との間の部分が前記第１胴とは離間自在なものであることを特徴とする。
【００１０】
本発明の第１および第２のバッグにおいて、前記ベルト部材は、前記一端部分と前記他端部分のうちの少なくとも一方が前記袋体と前記持ち手のうちの少なくとも一方に着脱自在に接続されたものであることが好ましい。
【００１１】
また、本発明の第３のバッグにおいて、前記ベルト部材は、前記一端部分と前記他端部分のうちの少なくとも一方が前記袋体と前記第２持ち手のうちの少なくとも一方に着脱自在に接続されたものであることが好ましい。
【００１２】
ベルト部材の一端部分或いは他端部分を着脱可能に接続することで、使用者は、ベルト部材を取り外し、バッグとベルト部材の間に容易に胴体を通すことができる。
【００１３】
上記目的を解決する本発明のうちの第４のバッグは、袋体と、
前記袋体に取り付けられ、肩にかけることが可能な持ち手と、
一端部分が前記袋体に接続されたベルト部材とを備え、
前記ベルト部材は、前記一端部分に対する他端部分が前記袋体に着脱自在に接続された袋体接続状態と、該他端部分が前記持ち手に着脱自在に接続された持ち手接続状態とに状態変化可能なものであって、該持ち手接続状態において前記持ち手が使用者の肩にかけられて使用する場合に、前記持ち手がかけられた使用者の肩とは反対側の肩が存在する体側に向かって該袋体および該持ち手を引っ張り、該袋体の一部が使用者の背中に接触した状態を維持するものであることを特徴とする。
【００１４】
本発明の第１および第４のバッグによれば、使用者の肩から持ち手がずれ落ちることが抑制される上に、袋体の一部が使用者の背中に接触した状態が維持されるので袋体が揺れ動くことが抑制され、袋体を安定した姿勢で所持できる。
【００１５】
ここで、前記ベルト部材は、持ち手接続状態において持ち手を肩にかけて使用する場合に前記袋体と使用者を挟み込むものであってもよい。
【００１６】
また、前記ベルト部材は、前記一端部分が前記袋体に着脱自在に接続されたものであってもよい。
【００１７】
さらに、前記持ち手は、いわゆる二本手であってもよいし、いわゆる一本手であってもよい。
【００１８】
上記目的を解決する本発明のうちの第５のバッグは、第１胴と第２胴との間に収納空間を有する袋体と、
前記袋体に取り付けられ、肩にかけることが可能な持ち手と、
一端部分が前記袋体に接続され、該一端部分に対する他端部分が前記第２胴側から前記第１胴側へ回り込んで前記持ち手に着脱自在に取り付けられたベルト部材とを備え、
前記ベルト部材は、前記第１胴側の部分が該第１胴とは離間自在なものであることを特徴とする。
【００１９】
本発明の第２および第５のバッグによれば、使用者の肩から持ち手がずれ落ちることが抑制される上に、袋体によって形成された収納空間に収納された物品および袋体と使用者とを、ベルト部材の第２胴側の部分と第１胴側の部分の間に挟み込むことで、その物品および袋体を使用者側に押さえ付けることができる。こうすることで、その物品と袋体とが揺れ動いてしまうことを抑制され、使用者はバッグを安定した姿勢で所持できる。
【００２０】
ここで、前記ベルト部材は、前記他端部分が、前記持ち手から外れた状態では、前記袋体に対して着脱自在なものであってもよい。
【００２１】
また、前記ベルト部材は、前記第１胴側の部分が、該第１胴との間に使用者の胴体を入れることが可能な空間が形成される程度に該第１胴とは離間自在なものであってもよい。
【００２２】
さらに、前記持ち手は、前記第１胴および第２胴それぞれに取り付けられた、いわゆる二本手であってもよいし、該第１胴と該第２胴の双方をつなぐように取り付けられた、いわゆる一本手であってもよいし、該第１胴と該第２胴をつなぐマチ部分に取り付けられた、いわゆる一本手であってもよい。
【００２３】
上記目的を解決する本発明のうちの第６のバッグは、第１胴と第２胴との間に収納空間を有し、該収納空間につながる開口部を上端部分に備えた袋体と、
前記袋体の第１胴に取り付けられ、肩にかけることが可能な第１持ち手と、
前記袋体の第２胴に取り付けられ、肩にかけることが可能な第２持ち手と、
一端部分が前記袋体に接続されたベルト部材とを備え、
前記ベルト部材は、前記一端部分に対する他端部分が前記袋体に着脱自在に接続された袋体接続状態と、該他端部分が前記第２持ち手に着脱自在に取り付けられた第２持ち手接続状態との間で状態変化可能なものであって、少なくとも前記第２持ち手接続状態では、前記一端部分と前記他端部分との間の部分が前記第１胴とは離間自在なものであることを特徴とする。
【００２４】
本発明の第３および第６のバッグによれば、第２持ち手が使用者の肩からずれ落ちることが抑制される上に、第２持ち手が取り付けられた第２胴よりも使用者の胴体に近い位置に第１胴を配置して使用することで袋体の開口部が開いてしまうことを抑制できる。
【００２５】
また、本発明のバッグにおいて、前記ベルト部材は、長さ調整可能なものであることが好ましい。
【００２６】
ベルト部材の長さを調整することで、いろいろな体型の使用者が使用できる。
【００２７】
また、本発明のバッグにおいて、前記ベルト部材は、長さ方向に伸縮性を有するものであることが好ましい。
【００２８】
ベルト部材が長さ方向に伸縮性を有するので、いろいろな体型の使用者が使用できる。
【発明の効果】
【００２９】
本発明によれば、持ち手を肩にかけて使用する場合に袋体を安定した姿勢で所持できるバッグを提供することができる。
【図面の簡単な説明】
【００３０】
【図１】（ａ）は、本発明の第１実施形態のバッグを正面やや上方から見た斜視図である。また、（ｂ）は、（ａ）に示すバッグを背面やや上方から見た斜視図である。
【図２】ベルト部材を持ち手接続状態にしたバッグを正面やや上方から見た斜視図である。
【図３】図１に示す袋体接続状態において第１持ち手および第２持ち手が使用者の左肩にかけられた場合のバッグおよび使用者を、使用者の正面側から見た図である。
【図４】（ａ）は、図２に示す持ち手接続状態において第１持ち手および第２持ち手が使用者の左肩にかけられた場合のバッグおよび使用者を、使用者の正面側から見た図である。また、（ｂ）は、（ａ）に示したバッグおよび使用者を、使用者の背面側から見た図である。
【図５】（ａ）は、第１変形例のバッグを正面やや上方から見た斜視図である。（ｂ）は、（ａ）に示すバッグを背面やや上方から見た斜視図である。（ｃ）は、（ａ）に示すバッグのベルト部材を持ち手接続状態にした状態を正面やや上方から見た斜視図である。
【図６】（ａ）は、第２変形例のバッグを正面やや上方から見た斜視図である。（ｂ）は、（ａ）に示すバッグを背面やや上方から見た斜視図である。（ｃ）は、（ａ）に示すバッグのベルト部材を持ち手接続状態にした状態を正面やや上方から見た斜視図である。
【図７】（ａ）は、第２実施形態のバッグを第２胴側下方から見た斜視図である。（ｂ）は、（ａ）に示すバッグの正面図である。（ｃ）は、（ａ）に示すバッグの背面図である。
【図８】（ａ）は、図７に示すバッグのベルト部材を持ち手接続状態にした様子を示す正面図である。（ｂ）は、（ａ）に示すバッグの背面図である。
【図９】（ａ）は、第２実施形態のバッグの第１変形例を示す正面図である。（ｂ）は、図９（ａ）に示すバッグの背面図である。（ｃ）は、（ａ）に示すバッグのベルト部材を持ち手接続状態にした様子を示す正面図である。（ｄ）は、（ｃ）に示すバッグの背面図である。
【図１０】（ａ）は、第２実施形態の第２変形例のバッグを示す正面図である。（ｂ）は、（ａ）に示すバッグの背面図である。（ｃ）は、（ａ）に示すバッグのベルト部材を持ち手接続状態にした様子を示す正面図である。（ｄ）は、（ｃ）に示すバッグの背面図である。
【図１１】（ａ）は、第３実施形態のバッグを示す正面図である。（ｂ）は、（ａ）に示すバッグの背面図である。（ｃ）は、（ａ）に示すバッグのベルト部材を持ち手接続状態にした様子を示す正面図である。（ｄ）は、図１１（ｃ）に示すバッグの背面図である。
【図１２】（ａ）は、第３実施形態のバッグの変形例を示す正面図である。（ｂ）は、（ａ）に示すバッグの背面図である。（ｃ）は、（ａ）に示すバッグのベルト部材を持ち手接続状態にした様子を示す正面図である。（ｄ）は、（ｃ）に示すバッグの背面図である。
【図１３】（ａ）は、第４実施形態のバッグの正面図である。（ｂ）は、（ａ）に示すバッグの背面図である。（ｃ）は、袋体および持ち手からベルト部材の他端部分が外されている様子を示す背面図である。
【図１４】（ａ）は、図１３に示すバッグを持ち手接続状態にし、第１持ち手および第２持ち手を使用者の左肩にかけて使用する場合のバッグおよび使用者を、使用者の正面側から見た図である。また、（ｂ）は、（ａ）に示したバッグおよび使用者を、使用者の背面側から見た図である。
【図１５】（ａ）は、第５実施形態のバッグの正面図である。（ｂ）は、（ａ）に示すバッグの背面図である。
【図１６】（ａ）は、図１５に示すバッグを持ち手接続状態にし、第１持ち手および第２持ち手を使用者の左肩にかけて使用する場合のバッグおよび使用者を、使用者の正面側から見た図である。また、（ｂ）は、（ａ）に示したバッグおよび使用者を、使用者の背面側から見た図である。
【図１７】（ａ）は、第６実施形態のバッグの正面図である。（ｂ）は、（ａ）に示すバッグの背面図である。
【図１８】（ａ）は、図１７に示すバッグの第１持ち手および第２持ち手を使用者の左肩にかけ、ベルト部材とバッグの間に使用者の胴体を通した様子を使用者の正面側から見た図である。また、（ｂ）は、（ａ）に示したバッグおよび使用者を、使用者の背面側から見た図である。
【発明を実施するための形態】
【００３１】
以下、図面を参照して本発明の実施の形態を説明する。
【００３２】
本発明の一実施形態であるバッグは、第１胴と第２胴それぞれに持ち手が取り付けられた、いわゆる２本手のトートバッグである。
【００３３】
図１（ａ）は、本発明の第１実施形態のバッグを正面やや上方から見た斜視図である。また、図１（ｂ）は、同図（ａ）に示すバッグを背面やや上方から見た斜視図である。
【００３４】
図１（ａ）に示すように、第１実施形態のバッグ１は、袋体２と、袋体２に取り付けられた第１持ち手３および第２持ち手４と、ベルト部材５と、規制部材６とを備えている。袋体２は、正面側の第１胴２１と背面側の第２胴２２とを備えている。この第１胴２１と第２胴２２それぞれは、同一の大きさの矩形状のものである。以下の説明では、図１（ａ）に示す第１胴２１が手前にある状態における袋体２の右側を袋体２の右側として説明し、第１胴２１が手前にある状態における袋体２の左側を袋体２の左側として説明する。また、図１（ａ）に示す第１胴２１が手前にある状態における袋体２の右の辺を右辺と称し、第１胴２１が手前にある状態における袋体２の左の辺を左辺と称することがある。
【００３５】
袋体２は、第１胴２１と第２胴２２とが下辺と左右両辺で結合した布製のものである。この袋体２は、第１胴２１と第２胴２２の間に収納空間を有している。この収納空間には、バッグ１によって運搬される物品が収納される。袋体２の上端には、第１胴２１の上縁および第２胴の上縁によって画定された開口部２ａが形成されている。この開口部２ａは、収納空間に繋がっている。なお、ファスナやボタンなど、開口部２ａが閉じた状態にするための留め具を開口部２ａ部分に設けてもよい。
【００３６】
袋体２の右上角部近傍には、袋体接続部材２５が取り付けられている。本実施形態の袋体接続部材２５は、長円状の袋体リング部材２５１と袋体連結紐２５２とから構成されている。袋体リング部材２５１は、袋体連結紐２５２によって袋体２と連結されている。後述するように、ベルト部材５は、袋体接続部材２５を介して袋体２に接続される。以下の説明では、袋体接続部材２５を介している点については省略して説明することがある。
【００３７】
第１持ち手３は、第１胴２１に取り付けられたアーチ状のものである。この第１持ち手３は、その下端部分が第１胴２１に縫い合わされることで袋体２の上端部分に固定されている。第１持ち手３は、使用者Ｈ（図３参照）が肩に掛けることが可能な長さを有するものである。第１持ち手３には、第１接続部材３１が取り付けられている。本実施形態の第１接続部材３１は、長円状の第１リング部材３１１と第１連結紐３１２とから構成されている。この第１リング部材３１１は、第１連結紐３１２によって第１持ち手３と連結されている。後述するように、ベルト部材５は、第１接続部材３１を介して第１持ち手３に接続される。以下の説明では、第１接続部材３１を介している点については省略して説明することがある。
【００３８】
第２持ち手４は、第２胴２２に取り付けられたアーチ状のものである。この第２持ち手４は、その下端部分が第２胴２２に縫い合わされることで袋体２の上端部分に固定されている。第２持ち手４は、使用者Ｈが肩に掛けることが可能な長さを有するものである。第２持ち手４には、第２接続部材４１が取り付けられている。本実施形態の第２接続部材４１は、長円状の第２リング部材４１１と第２連結紐４１２とから構成されている。この第２リング部材４１１は、第２連結紐４１２によって第２持ち手４と連結されている。後述するように、ベルト部材５は、第２接続部材４１を介して第２持ち手４に接続される。以下の説明では、第２接続部材４１を介している点については省略して説明することがある。
【００３９】
ベルト部材５は、長尺状の平帯５１と、ベルト部材５の一端部分に設けられた一端側接続部材５２と、前記一端部分に対するベルト部材５の他端部分に設けられた他端側接続部材５３と、長さ調整部材５４とを備えている。このベルト部材５は、一端側接続部材５２と他端側接続部材５３それぞれが袋体２に接続された袋体接続状態と、一端側接続部材５２或いは他端側接続部材５３の一方が袋体２に接続され、前記一方に対する他方が第１持ち手３或いは第２持ち手４に接続された持ち手接続状態とに状態変化可能なものである。図１（ａ）および図１（ｂ）には、一端側接続部材５２と他端側接続部材５３それぞれが袋体２に接続された袋体接続状態が示されている。
【００４０】
図１（ｂ）に示すように、本実施形態の一端側接続部材５２は、長円状の一端側リング部材５２１と、その一端側リング部材５２１に固定された一端側カラビナ５２２とから構成されている。この一端側接続部材５２は、ベルト部材５の、第２胴２２側に配置された部分５１２（以下、第２胴側部分と称することがある）の端部（以下、一端部分と称することがある）に設けられている。また、図１（ａ）に示すように、本実施形態の他端側接続部材５３は、長円状の他端側リング部材５３１と、その他端側リング部材５３１に取り付けられた他端側カラビナ５３２とから構成されている。この他端側接続部材５３は、ベルト部材５の、第１胴２１側に配置された部分５１１（以下、第１胴側部分と称することがある）の端部（以下、他端部分と称することがある）に設けられている。一端側カラビナ５２２および他端側カラビナ５３２は、一部に可動部品が設けられた略Ｄ型のリング状をした金具であり、その可動部品を動かすことで、金具の一部が開放され、他のリングなどと連結させることが可能なものである。この一端側カラビナ５２２および他端側カラビナ５３２は、袋体リング部材２５１、第１リング部材３１１、或いは第２リング部材４１１に着脱自在に接続される。図１では、一端側カラビナ５２２および他端側カラビナ５３２が、袋体リング部材２５１に接続された様子が示されている。
【００４１】
長さ調整部材５４は、長方形の枠体と、枠体の短辺どうしを接続した軸とが一体に成形された樹脂製のものである。平帯５１の一端は、一端側接続部材５２の一端側リング部材５２１に固定されている。平帯５１の他端側部分は、長さ調整部材５４に通されて他端側リング部材５３１で折り返されている。また、平帯５１の他端は、長さ調整部材５４の軸に固定されている。ベルト部材５は、長さ調整部材５４の平帯５１に対する位置を変更して折り返されている部分の長さを変えることで、その長さを調整することが可能である。ベルト部材５の第１胴側部分５１１は、第１胴２１と離間自在に構成されており、ベルト部材５の第２胴側部分５１２は、第２胴２２と離間自在に構成されている。ベルト部材５の長さを調整することでそれらの離間の程度を調整することができる。
【００４２】
規制部材６は、袋体２の左下角部に固定されている。この規制部材６は、正面視で略Ｌ字状をしたプラスチック製のものである。規制部材６には、長孔６１が形成されている。ベルト部材５は、長孔６１に通されており、他端部分が第２胴２２側から第１胴２１側へ回り込んでいる。ベルト部材５が長孔６１に通されることで、ベルト部材５の長孔６１に通されている部分は、その幅方向および厚み方向への移動が規制され、袋体２の左下角部から移動することが防止されている。この規制部材６は、袋体２のどの部分に配置されていてもよいが、袋体２の下端側部分に配置されていることが好ましい。袋体２の下端側部分に配置されることで、後述する収納空間に収納された物品および袋体２が揺れ動いてしまうことを防止する効果が高まる。
【００４３】
図２は、ベルト部材を持ち手接続状態にしたバッグを正面やや上方から見た斜視図である。
【００４４】
上述したように、一端側カラビナ５２２および他端側カラビナ５３２は、袋体リング部材２５１、第１リング部材３１１、或いは第２リング部材４１１に着脱自在に接続される。図２では、一端側カラビナ５２２は袋体リング部材２５１に接続され、他端側カラビナ５３２は第２リング部材４１１に接続されることで、一端側接続部材５２が袋体２に接続され、他端側接続部材５３が第２持ち手４に接続された状態が示されている。なお、他端側接続部材５３は第１持ち手３に接続しても構わない。また、図２は、第２胴２２よりも使用者Ｈの胴体に近い位置に第１胴２１を配置（以下、第１胴２１を胴体側に配置、と記載することがある。）し、持ち手３、４を使用者Ｈの左肩に掛けて使用する場合を想定した持ち手接続状態が示されている。これに対し、使用者Ｈの右肩にかけて使用する場合は、他端側接続部材５３を袋体２に接続し、一端側接続部材５２を第１持ち手３或いは第２持ち手４に接続して使用すればよい。
【００４５】
図３は、図１に示す袋体接続状態において第１持ち手および第２持ち手が使用者の左肩にかけられた場合のバッグおよび使用者を、使用者の正面側から見た図である。
【００４６】
図３に示すように、袋体接続状態では、ベルト部材５は、単に袋体２に吊り下げられた状態になる。この袋体接続状態では、使用者Ｈがバッグ１を使用していると、バッグ１に作用している重力や振動などの影響で、第１持ち手３および第２持ち手４が肩からずれ落ちてしまうことがある。
【００４７】
図４（ａ）は、図２に示す持ち手接続状態において第１持ち手および第２持ち手が使用者の左肩にかけられた場合のバッグおよび使用者を、使用者の正面側から見た図である。また、図４（ｂ）は、図４（ａ）に示したバッグおよび使用者を、使用者の背面側から見た図である。本実施形態のバッグ１は様々な使用状態で使用することが可能なバッグであるが、この図４に示された状態が、本発明において想定している所定の使用状態の一例である。
【００４８】
図４（ａ）に示す使用状態では、ベルト部材５の第１胴側部分５１１と袋体２との間に使用者Ｈの胴体が通されている。この使用状態では、ベルト部材５は、第１持ち手および第２持ち手４がかけられた使用者Ｈの肩（左肩）とは反対側の肩（右肩）が存在する体側（以下、逆体側と称することがある）に向かって第２持ち手４を引っ張っている。これにより、第２持ち手４が使用者Ｈの肩からずれ落ちることが抑制されている。
【００４９】
また、図４では、第２持ち手４が取り付けられた第２胴２２よりも第１胴２１を胴体側に配置した状態が示されている。ベルト部材５によって第２持ち手４が逆体側に向かって引っ張られることで、第２持ち手４が取り付けられた第２胴２２の上端部分は使用者Ｈの胴体側に引っ張られている。使用者Ｈの胴体側に引っ張られることで、第２胴２２の上端部分は、第１胴２１の上端部分に押し付けられている。第２胴２２の上端部分が第１胴２１の上端部分に押し付けられているので、たとえ第１持ち手３が使用者Ｈの肩からずれ落ちても第１胴２１の上縁と第２胴２２の上縁によって画定された開口部２ａが開いてしまうことが防止されている。なお、図２に示す他端側接続部材５３の接続を第２持ち手４から第１持ち手３に切り換えて、図４に示すように使用者の左肩にかけた場合、この開口部２ａが開いてしまうことを防止する効果は期待できなくなる。
【００５０】
また、図４に示す使用状態では、ベルト部材５が、袋体２を逆体側に向かって引っ張っている。図４に示す袋体２には、重力によって使用者Ｈの左肩の真下に移動する方向の力が働いているが、ベルト部材５で袋体２の少なくとも一部を逆体側に向かって引っ張ることで、使用者Ｈの背中に袋体２の一部が接触した状態を維持することができる。袋体２の一部を使用者Ｈの背中に接触した状態で維持することで袋体２が揺れ動くことが抑制され、使用者Ｈは袋体２を安定した姿勢で所持できる。
【００５１】
また、図４に示す使用状態では、袋体２とその袋体２の収納空間に収納された物品と使用者Ｈの胴体とを、ベルト部材５の第１胴側部分５１１と第２胴側部分５１２との間で挟み込んでいる。ベルト部材５で挟み込むことで、収納空間に収納された物品および袋体２は使用者Ｈの胴体側に押さえ付けられている。収納空間に収納された物品および袋体２が押さえ付けられることで、その物品と袋体２とが揺れ動いてしまうことが抑制されている。また、本実施形態では、袋体２に配置された規制部材６によって、ベルト部材５の一部がその規制部材６の配置された位置から移動することが防止されている。この規制部材６が袋体２の下端側部分に配置されていることで、ベルト部材５の第２胴側部分５１２は、一端側接続部材５２が接続された袋体２の上端側から、規制部材６が設けられた袋体２下端側まで延在している。その第２胴側部分５１２によって、収納空間に収納された物品と袋体２が、使用者Ｈの胴体側（背中）に押さえ付けられている。たとえば、規制部材６を袋体２の上端側部分に配置した場合には、ベルト部材５が袋体２の上端側にしか配置されないので、袋体２の上端側部分しか押さえ付けることができず、袋体２の下端側部分と、その下端側部分に収納された物品は揺れ動いてしまう可能性がある。これに対し、規制部材６を下端側部分に配置することで、揺れ動いてしまう部分を少なくすることができる。
【００５２】
また、ベルト部材５の一端側接続部材５２と他端側接続部材５３が、袋体２、第１持ち手３、或いは第２持ち手４に着脱自在に接続されるので、一端側接続部材５２と他端側接続部材５３のうちの一方を取り外し、ベルト部材５と袋体２との間に使用者Ｈの胴体を容易に通すことができる。さらに、袋体接続状態と持ち手接続状態との状態変化可能に構成しているので、使用者Ｈが第１持ち手３と第２持ち手４を持ってバッグ１を使用する際は、袋体接続状態にすることができベルト部材５が邪魔にならない。
【００５３】
また、使用者Ｈの体型に合わせてベルト部材５の長さが調整可能なので、いろいろな体型の使用者Ｈがバッグ１を図４に示す使用状態で使用することができる。すなわち、ベルト部材５の長さを調整することで、第１胴側部分５１１と第１胴２１との間にいろいろな体型の使用者Ｈの胴体を入れることが可能な空間を形成することができる。
【００５４】
以上の図４を用いた説明では、第１胴２１を胴体側に配置して使用した例を説明したが、第２胴２２を胴体側に配置して使用することもできる。使用者Ｈの右肩にかけて使用する場合、第２胴２２を胴体側に配置し、他端側接続部材５３を袋体２に接続して一端側接続部を第１持ち手３に接続すれば同様の効果が得られる。
【００５５】
続いて、本実施形態の変形例について説明する。以下の説明では、これまで説明した構成要素の名称と同じ名称の構成要素には、これまで用いた符号と同じ符号を付して説明することがある。また、これまで説明したバッグ１の説明と重複する説明は省略することがある。
【００５６】
図５（ａ）は、第１変形例のバッグを正面やや上方から見た斜視図である。図５（ｂ）は、図５（ａ）に示すバッグを背面やや上方から見た斜視図である。図５（ｃ）は、図５（ａ）に示すバッグのベルト部材を持ち手接続状態にした状態を正面やや上方から見た斜視図である。
【００５７】
第１変形例は、各接続部材の構成が先の実施形態とは異なる。この変形例の袋体２に取り付けられた袋体接続部材は、図５（ａ）に示すように、第１胴２１に取り付けられた第１ボタン７１と、図５（ｂ）に示すように、第２胴２２に取り付けられた第２ボタン７２によって構成されている。第１ボタン７１と第２ボタン７２それぞれは、袋体２から突出した円柱状の根本部と、突出端に設けられた根本部よりも大径の円盤形状をした大径部とが一体に形成された金属製のものである。また、この変形例では、第１接続部材は第３ボタン７３で構成で構成され、第２接続部材は第４ボタン７４で構成されている。第３ボタン７３および第４ボタン７４も、第１ボタン７１および第２ボタン７２と同形状をした金属製のものである。
【００５８】
一方、図５（ｂ）に示すように、一端側接続部材は、三角形状の中央部に切り込みが設けられた革製の一端側三角片７５で構成されている。また、図５（ａ）に示すように、他端側接続部材は、一端側三角片７５と同じ形状をした革製の他端側三角片７６で構成されている。一端側三角片７５に設けられた切り込みにボタンを挿入することで、一端側三角片７５は、第２ボタン７２、第３ボタン７３、第４ボタン７４のうちのいずれか１つに着脱自在に接続される。また、他端側三角片７６に設けられた切り込みにボタンを挿入することで、他端側三角片７６は、第１ボタン７１、第３ボタン７３、第４ボタン７４のうちのいずれか１つに着脱自在に接続される。図５（ａ）および図５（ｂ）では、一端側三角片７５が第２ボタン７２に接続され、他端側三角片７６が第１ボタン７１に接続された袋体接続状態が示されている。また、図５（ｃ）には、一端側三角片７５が、第２ボタン７２に接続され、他端側三角片７６が第４ボタン７４に接続された持ち手接続状態が示されている。
【００５９】
図６（ａ）は、第２変形例のバッグを正面やや上方から見た斜視図である。図６（ｂ）は、図６（ａ）に示すバッグを背面やや上方から見た斜視図である。図６（ｃ）は、図６（ａ）に示すバッグのベルト部材を持ち手接続状態にした状態を正面やや上方から見た斜視図である。
【００６０】
第２変形例は、各接続部材の構成が先の実施形態とは異なる。この変形例の袋体２に取り付けられた袋体接続部材は、図６（ａ）に示すように、第１胴２１に第１連結帯８１を介して取り付けられた第１雌型バックル８２と、図６（ｂ）に示すように、第２連結帯８３を介して第２胴２２に取り付けられた第２雌型バックル８４によって構成されている。第１雌型バックル８２と第２雌型バックル８４それぞれは、後述する雄型バックルの先端フック部分が差し込まれる差し込み孔を有するプラスチック製の雌型バックルである。また、この変形例の第１接続部材は、第３連結帯８５および第３雌型バックル８６で構成されている。第３雌型バックル８６は、第３連結帯８５を介して第１持ち手３に取り付けられている。また、第２接続部材は、第４連結帯８７および第４雌型バックル８８で構成されている。第４雌型バックル８８は、第４連結帯８７を介して第２持ち手４に取り付けられている。第３雌型バックル８６および第４雌型バックル８８も、第１雌型バックル８２および第２雌型バックル８４と同形状をしたプラスチック製の雌型バックルである。
【００６１】
一方、図６（ｂ）に示すように、一端側接続部材は、一端側雄型バックル８９で構成されている。また、図６（ａ）に示すように、他端側接続部材は、他端側雄型バックル９０で構成されている。一端側雄型バックル８９と他端側雄型バックル９０それぞれは、雌型バックルに差し込まれる先端フック部分を有するプラスチック製の雄型バックルである。一端側雄型バックル８９の先端フック部分を雌型バックルに設けられた差し込み孔に差し込むことで、一端側雄型バックル８９は、第２雌型バックル８４、第３雌型バックル８６、第４雌型バックル８８のうちのいずれか１つに着脱自在に接続される。また、他端側雄型バックル９０の先端フック部分を雌型バックルに設けられた差し込み孔に差し込むことで、他端側雄型バックル９０は、第１雌型バックル８２、第３雌型バックル８６、第４雌型バックル８８のうちのいずれか１つに着脱自在に接続される。図６（ａ）および図６（ｂ）では、一端側雄型バックル８９が、第２雌型バックル８４に接続され、他端側雄型バックル９０が第１雌型バックル８２近傍に配置された状態が示されている。この図６（ａ）および図６（ｂ）において、他端側雄型バックル９０が第１雌型バックル８２に接続された状態が袋体接続状態である。また、図６（ｃ）には、一端側雄型バックル８９が、第２雌型バックル８４に接続され、他端側雄型バックル９０が第４雌型バックル８８に接続された持ち手接続状態が示されている。なお、図６（ｃ）では、第１連結帯８１および第１雌型バックル８２が図示省略されている。
【００６２】
続いて、第２実施形態から第６実施形態までのバッグ１について順を追って説明する。以下の各実施形態の説明でも、これまで説明した構成要素の名称と同じ名称の構成要素には、これまで用いた符号と同じ符号を付して説明する。また、第１実施形態のバッグ１の説明と重複する説明は省略することがある。
【００６３】
図７（ａ）は、第２実施形態のバッグを第２胴側下方から見た斜視図である。この図７（ａ）には、袋体接続状態にする直前の様子が示されている。
【００６４】
第２実施形態のバッグ１は、第１持ち手３および第２持ち手４に接続部材が設けられていない。この実施形態の袋体２に取り付けられた袋体接続部材は、図７（ａ）に示すように、第２胴２２に取り付けられた矩形リング状の矩形状接続部材９１によって構成されている。この矩形状接続部材９１は、袋体２の右辺上端近傍で長辺の１つが保持された金属製のものである。袋体２の左下角部には、矩形リング状の環状規制部材９２が取り付けられている。この環状規制部材９２は、長辺の１つが袋体２に保持された金属製のものである。なお、図７（ａ）では、矩形状接続部材９１と環状規制部材９２の大きさが誇張して示されている。
【００６５】
ベルト部材５は、一端側部分が袋体２の第２胴２２に縫い合わされることで袋体２と接続されている。図７（ａ）には、縫い合わせた部分にステッチ５５が示されている。ベルト部材５の平帯５１は、長手方向に伸縮性を有する材料で形成されている。また、この実施形態の他端側接続部材は、面ファスナー５６で構成されている。この面ファスナー５６は、ベルト部材５の他端部分に固定されたループ起毛５６１と、ループ起毛５６１よりもベルト部材５の他端側に固定されたフック５６２とから構成されている。
【００６６】
図７（ｂ）は、図７（ａ）に示すバッグの正面図である。図７（ｃ）は、図７（ａ）に示すバッグの背面図である。図７（ｂ）および図７（ｃ）には、ベルト部材５を袋体接続状態にしたバッグ１が示されている。なお、バッグ１を第１胴２１側から見た図が正面図であり、バッグ１を第２胴２２側から見た図が背面図である。
【００６７】
図７（ｂ）に示すように、袋体接続状態では、バッグ１の第１胴２１側にはベルト部材５が配置されていない。一方、この袋体接続状態では、図７（ａ）および図７（ｃ）に示すように、ベルト部材５の他端側部分は、環状規制部材９２で第２胴２２側に折り返され、さらに第２胴２２側において矩形状接続部材９１で折り返されている。また、面ファスナー５６のループ起毛５６１とフック５６２が貼り付き、ベルト部材５の他端は矩形状接続部材９１に着脱自在に接続されている。
【００６８】
図８（ａ）は、図７に示すバッグのベルト部材を持ち手接続状態にした様子を示す正面図である。図８（ｂ）は、図８（ａ）に示すバッグの背面図である。
【００６９】
持ち手接続状態では、ベルト部材５は、環状規制部材９２を通って他端部分が第１胴側へ回り込み第１持ち手３と第２持ち手４に着脱自在に接続されている。この実施形態では、ベルト部材５の他端部分が、第１持ち手３と第２持ち手４を挟むように折り返されてループ起毛５６１とフック５６２（図７（ａ）参照）が貼り付くことによりベルト部材５の他端は第１持ち手３と第２持ち手４に着脱自在に接続されている。ただし、第１持ち手３と第２持ち手４のうちのどちらか一方を挟むように折り返して、第１持ち手３と第２持ち手４の一方に接続してもよい。
【００７０】
この実施形態では、第１実施形態の例と同様の効果に加え、第１持ち手３および第２持ち手４に接続部材が不要になり、バッグ１を安価に制作できるといった効果がある。また、バッグ１には、第１胴２１や第２胴２２にデザイン画などが描かれたものがある。この実施形態の袋体接続状態では、図７（ｂ）に示すように、第１胴２１にベルト部材５が配置されないので、ベルト部材５でそのデザイン画が隠れてしまうことがない。また、ベルト部材５の平帯５１は、長手方向に伸縮性を有する材料で形成されているので、長さ調整を行わなくても、いろいろな体型の使用者Ｈがバッグ１を図８に示す持ち手接続状態で使用することができる。
【００７１】
図９（ａ）は、第２実施形態のバッグの第１変形例を示す正面図である。図９（ｂ）は、図９（ａ）に示すバッグの背面図である。図９（ａ）および図９（ｂ）には、ベルト部材５を袋体接続状態にしたバッグ１が示されている。なお、図９（ａ）および図９（ｂ）では、第１持ち手３が図示省略されている。
【００７２】
この変形例は、第２実施形態に対して各接続部材とベルト部材５の構成とが異なる。この変形例の説明では、第２実施形態と相違する部分を主に説明する。図９（ａ）に示すように、第２持ち手４には、第２接続部材４１が設けられている。また、袋体２には、袋体接続部材２５が設けられている。第２接続部材４１および袋体接続部材２５は、ベルト部材５の他端側接続部材５３と着脱可能に接続可能なものであればどのような構成であっても構わない。
【００７３】
ベルト部材５は、一端側部分が袋体２の第２胴２２に縫い合わされることで袋体２と接続されている。ベルト部材５の他端部分には、他端側接続部材５３が設けられている。この他端側接続部材５３は、第２接続部材４１および袋体接続部材２５と接続可能なものであればどのような構成であっても構わない。
【００７４】
図９（ｃ）は、図９（ａ）に示すバッグのベルト部材を持ち手接続状態にした様子を示す正面図である。図９（ｄ）は、図９（ｃ）に示すバッグの背面図である。なお、図９（ｃ）および図９（ｄ）では、第１持ち手３が図示省略されている。
【００７５】
図９（ｃ）および図９（ｄ）に示すように、持ち手接続状態では、ベルト部材５は、環状規制部材９２を通って他端部分が第１胴側へ回り込んで第２持ち手４に接続されている。
【００７６】
図１０（ａ）は、第２実施形態の第２変形例のバッグを示す正面図である。図１０（ｂ）は、図１０（ａ）に示すバッグの背面図である。図１０（ａ）および図１０（ｂ）には、ベルト部材５を袋体接続状態にしたバッグ１が示されている。なお、図１０（ａ）および図１０（ｂ）では、第１持ち手３が図示省略されている。
【００７７】
この変形例は、第２実施形態に対して、各袋体接続部材とベルト部材５の構成とが異なる。この変形例の説明では、第２実施形態と相違する部分を主に説明する。この変形例の袋体２に取り付けられた袋体接続部材は、図１０（ｂ）に示すように、第２胴２２に取り付けられた３本の軸状接続部材９３で構成されている。この３本の軸状接続部材９３それぞれは、袋体２の右辺上端近傍から突出した円柱状の根本部分と、突出端に設けられた球形をした球状部分とが一体に形成された金属製のものである。
【００７８】
ベルト部材５は、一端側部分が袋体２の第２胴２２に縫い合わされることで袋体２と接続されている。３本の軸状接続部材９３それぞれは、ベルト部材５の、第２胴２２に縫い合わされた部分を貫通して外側（袋体２の収納空間とは反対側）に突出している。ベルト部材５の他端部分には３つの丸孔５８が形成されている。この丸孔５８の直径は、軸状接続部材９３の球状部分の直径よりもほんの少しだけ大きく形成されている。
【００７９】
また、ベルト部材５の他端部分には、他端側接続部材５３が設けられている。この変形例の他端側接続部材５３は、持ち手接続状態では、第２接続部材４１と接続されるが、図１０（ａ）および図１０（ｂ）に示す袋体接続状態では、軸状接続部材９３と接続されない。図１０（ｂ）に示すように、袋体接続状態では、ベルト部材５の３つの丸孔５８それぞれに、３本の軸状接続部材９３が一本ずつ挿入されることで、ベルト部材５は袋体２に着脱自在に接続されている。
【００８０】
図１０（ｃ）は、図１０（ａ）に示すバッグのベルト部材を持ち手接続状態にした様子を示す正面図である。図１０（ｄ）は、図１０（ｃ）に示すバッグの背面図である。なお、図１０（ｃ）および図１０（ｄ）では、第１持ち手３が図示省略されている。
【００８１】
図１０（ｃ）および図１０（ｄ）に示すように、持ち手接続状態では、ベルト部材５は、環状規制部材９２を通って他端部分が第１胴側へ回り込んで第２持ち手４に接続されている。
【００８２】
図１１（ａ）は、第３実施形態のバッグを示す正面図である。図１１（ｂ）は、図１１（ａ）に示すバッグの背面図である。図１１（ａ）および図１１（ｂ）には、ベルト部材５を袋体接続状態にしたバッグ１が示されている。なお、図１１（ａ）では、第１持ち手３が図示省略されており、図１１（ｂ）では第２持ち手４が図示省略されている。
【００８３】
第３実施形態のバッグ１は、規制部材６が設けられていない。この第３実施形態のバッグ１は、第１胴２１側と第２胴２２側それぞれにベルト部材５が設けられている。この実施形態の説明では、ベルト部材５のうち、第１胴２１側に設けられているものを第１ベルト部材５Ａと称し、第２胴２２側に設けられているものを第２ベルト部材５Ｂと称する。また、この実施形態では、第１胴２１側と第２胴２２側それぞれに袋体接続部材が設けられている。この実施形態の説明では、袋体接続部材のうち第１胴２１側に設けられているものを第１袋体接続部材２５Ａと称し、第２胴２２側に設けられているものを第２袋体接続部材２５Ｂと称する。
【００８４】
図１１（ａ）に示すように、第１袋体接続部材２５Ａは、袋体２の右上角部近傍で、第１胴２１に固定されている。第１ベルト部材５Ａの一端部分は、袋体２の左下角部近傍で、第１胴２１に縫い合わされることで袋体２に接続されている。また、第１ベルト部材５Ａの他端部分には、第１他端側接続部材５３Ａが設けられている。袋体接続状態では、第１他端側接続部材５３Ａが、第１袋体接続部材２５Ａに接続されることで、第１ベルト部材５Ａの他端部分は、袋体２に着脱自在に接続されている。
【００８５】
図１１（ｂ）に示すように、第２袋体接続部材２５Ｂは、袋体２の右上角部近傍で、第２胴２２に固定されている。第２ベルト部材５Ｂの一端部分は、袋体２の左下角部近傍で、第２胴２２に縫い合わされることで袋体２に接続されている。また、第２ベルト部材５Ｂの他端部分には、第２他端側接続部材５３Ｂが設けられている。袋体接続状態では、第２他端側接続部材５３Ｂが、第２袋体接続部材２５Ｂに接続されることで、第２ベルト部材５Ｂの他端部分は、袋体２に着脱自在に接続されている。
【００８６】
図１１（ｃ）は、図１１（ａ）に示すバッグのベルト部材を持ち手接続状態にした様子を示す正面図である。図１１（ｄ）は、図１１（ｃ）に示すバッグの背面図である。なお、図１１（ｃ）では、第１持ち手３が図示省略されている。
【００８７】
持ち手接続状態では、第１他端側接続部材５３Ａが、第２接続部材４１に接続されることで、第１ベルト部材５Ａの他端部分は、持ち手４に着脱自在に接続されている。第１ベルト部材５Ａの、一端部分と他端部分との間の部分は、第１胴２１と離間自在である。また、第１ベルト部材５Ａは長手方向に伸縮性を有しており、使用者Ｈは、第１胴２１と第１ベルト部材５Ａの間に胴体を通してバッグ１を使用することができる。なお、図１１（ｃ）および図１１（ｄ）は、第１胴２１を胴体側に配置し、持ち手３、４を使用者Ｈの左肩に掛けて使用する場合を想定した持ち手接続状態が示されている。これに対し、使用者Ｈの右肩にかけて使用する場合は、第１ベルト部材５Ａの他端部分を袋体２に接続し、第２ベルト部材５Ｂの他端部分を第１持ち手３に接続して使用すればよい。この実施形態でも、第１実施形態の例と同様の効果が得られる。なお、以上説明した第３実施形態のバッグ１は、上述した本発明のうちの第２と第５のバッグを除く実施形態の一例に相当する。
【００８８】
図１２（ａ）は、第３実施形態のバッグの変形例を示す正面図である。図１２（ｂ）は、図１２（ａ）に示すバッグの背面図である。図１２（ａ）および図１２（ｂ）には、ベルト部材５を袋体接続状態にしたバッグ１が示されている。なお、図１２（ａ）では、第１持ち手３が図示省略されており、図１２（ｂ）では第２持ち手４が図示省略されている。
【００８９】
この変形例のバッグ１は、第３実施形態のバッグ１に対して、ベルト部材５の構成と、袋体接続部材の構成とが異なる。この変形例の説明では、第３実施形態と相違する部分を主に説明する。この変形例では、第１胴２１側と第２胴２２側それぞれの上端側と下端側に袋体接続部材が設けられている。この変形例の説明では、袋体接続部材のうち、第１胴２１側の上端側に設けられているものを第１上端袋体接続部材２５１Ａと称し、第１胴２１側の下端側に設けられているものを第１下端袋体接続部材２５２Ａと称し、第２胴２２側の上端側に設けられているものを第２上端袋体接続部材２５１Ｂと称し、第２胴２２側の下端側に設けられているものを第２下端袋体接続部材２５２Ｂと称する。
【００９０】
図１２（ａ）に示すように、第１上端袋体接続部材２５１Ａは、袋体２の右上角部近傍で、第１胴２１に固定されている。また、第１下端袋体接続部材２５２Ａは、袋体２の左下角部近傍で、第１胴２１に固定されている。また、図１２（ｂ）に示すように、第２上端袋体接続部材２５１Ｂは、袋体２の右上角部近傍で、第２胴２２に固定されている。また、第２下端袋体接続部材２５２Ｂは、袋体２の左下角部近傍で、第２胴２２に固定されている。
【００９１】
ベルト部材５は、一端部分に一端側接続部材５２が設けられ、他端部分に他端側接続部材５３が設けられている。袋体接続状態のベルト部材５は、第１胴２１側と第２胴２２側のいずれか一方に配置される。図１２（ａ）および図１２（ｂ）では、ベルト部材５が第１胴２１に配置された様子が示されている。図１２（ａ）では、一端側接続部材５２は第１下端袋体接続部材２５２Ａに接続され、他端側接続部材５３は第１上端袋体接続部材２５１Ａに接続された様子が示されている。ベルト部材５を第２胴２２に配置する場合、一端側接続部材５２を第２下端袋体接続部材２５２Ｂに接続し、他端側接続部材５３を第２上端袋体接続部材２５１Ｂに接続すればよい。バッグ１には、第１胴２１や第２胴２２にデザイン画などが描かれたものがある。この変形例の袋体接続状態では、第１胴２１と第２胴２２の一方はベルト部材５が配置されないので、その一方のデザイン画がベルト部材５で隠れてしまうことがない。
【００９２】
図１２（ｃ）は、図１２（ａ）に示すバッグのベルト部材を持ち手接続状態にした様子を示す正面図である。図１２（ｄ）は、図１２（ｃ）に示すバッグの背面図である。なお、図１２（ｃ）では、第１持ち手３が図示省略されている。
【００９３】
持ち手接続状態では、一端側接続部材５２が第１下端袋体接続部材２５２Ａに接続され、他端側接続部材５３が第２接続部材４１に接続されている。他端側接続部材５３が第２接続部材４１に接続されることで、ベルト部材５の他端部分は、持ち手４に着脱自在に接続されている。図１２（ｃ）および図１２（ｄ）は、第１胴２１を胴体側に配置し、持ち手３、４を使用者Ｈの左肩に掛けて使用する場合を想定した持ち手接続状態が示されている。これに対し、使用者Ｈの右肩にかけて使用する場合は、ベルト部材５の一端側接続部材５２を第２下端袋体接続部材２５２Ｂに接続し、他端側接続部材５３を第１接続部材３１に接続して使用すればよい。
【００９４】
図１３（ａ）は、第４実施形態のバッグの正面図である。図１３（ｂ）は、図１３（ａ）に示すバッグの背面図である。また、図１３（ｃ）は、袋体および持ち手からベルト部材の他端部分が外されている様子を示す背面図である。
【００９５】
第４実施形態のバッグ１は、規制部材６及び第１接続部材３１が設けられていない。この第４実施形態のバッグ１の袋体接続部材は、図１３（ｃ）に示すように、第２胴２２に取り付けられた楕円形をしたリング状の袋体環状接続部材９４によって構成されている。この袋体環状接続部材９４は、袋体２の右上角部近傍において第２胴２２に固定されている。また、袋体環状接続部材９４は、ステンレスなどの金属で構成されている。第２接続部材は、袋体環状接続部材９４と同形状をした第２環状接続部材９５によって構成されている。
【００９６】
ベルト部材５は、長尺状の平帯５１と、他端側接続部材５３と、長さ調整部材５４とを備えている。平帯５１の一端部分は、袋体の左下角部近傍に固定されている。ベルト部材５の他端には、他端側接続部材５３が設けられている。この他端側接続部材５３は、他端側リング部材５３１と、その他端側リング部材５３１に取り付けられたフック状の他端側鉤部材９６によって構成されている。この他端側リング部材５３１と他端側鉤部材９６それぞれは、ステンレスなどの金属で構成されている。また、ベルト部材５の一端部分から長さ調整部材５４の間の部分には、袋体２と同色で袋体２と同じ材質の布片５７が縫いつけられている。なお、布片５７は、袋体２と異なる色のものであってもよく、袋体２と異なる材質の布製のものであっても良い。
【００９７】
図１３（ａ）および図１３（ｂ）には、ベルト部材５の一端部分と他端部分それぞれが袋体２に接続された袋体接続状態が示されている。図１３（ｂ）に示すように、袋体接続状態では、他端側鉤部材９６が、楕円状リング状の袋体環状接続部材９４に引っかけられることでベルト部材５の他端部分が袋体２に着脱自在に接続されている。この袋体接続状態では、布片５７でベルト部材５全体が覆われるので、バッグ１の外観ではベルト部材５全体が隠れている。なお、布片５７は、袋体接続状態においてベルト部材５を覆うことができれば、袋体２に縫いつけられていてもよい。
【００９８】
この実施形態における袋体接続状態では、ベルト部材５が隠れることで、ベルト部材５によってバッグ１のデザイン性を損なってしまうことを防止できる。また、上述したように、バッグ１には、第１胴２１や第２胴２２にデザイン画などが描かれたものがある。第２胴２２にデザイン画を描く場合、布片５７にデザイン画の一部を描き、デザイン画の他の部分を第２胴２２に描くこともできる。さらに、図１３（ａ）に示すように、袋体接続状態では、第１胴２１側にベルト部材５が配置されないので、ベルト部材５でデザイン画が隠れてしまうことがない。また、袋体接続状態では、布片５７によって他端側接続部材５３および袋体環状接続部材９４が覆われるので、袋体接続状態で第１持ち手３と第２持ち手４を使用者の方にかけて使用する場合に、他端側接続部材５３や袋体環状接続部材９４が使用者の脇腹や腕に当たることがなくなり、使用者は違和感なくバッグ１を使用することができる。さらに、他端側接続部材５３や袋体環状接続部材９４が使用者の着衣に接触することもないので、他端側接続部材５３や袋体環状接続部材９４がその着衣に接触することにより、着衣が破れたり、着衣を縫合している糸や着衣の布地がほつれたりすることも防止できる。  図１４（ａ）は、図１３に示すバッグを持ち手接続状態にし、第１持ち手および第２持ち手を使用者の左肩にかけて使用する場合のバッグおよび使用者を、使用者の正面側から見た図である。また、図１４（ｂ）は、図１４（ａ）に示したバッグおよび使用者を、使用者の背面側から見た図である。
【００９９】
図１４には、第１胴２１を胴体側に配置した状態が示されている。持ち手接続状態では、他端側鉤部材９６が、第２環状接続部材９５に接続されることで、ベルト部材５の他端部分は、第２持ち手４に着脱自在に接続されている。この持ち手接続状態では、長さ調整部材５４によってベルト部材５の長さを調整し、ベルト部材５と袋体２との間に使用者Ｈの胴体を入れることが可能な程度にベルト部材５を袋体２から離間させている。図１４では、その離間したベルト部材５と袋体２の間に使用者Ｈの胴体が通された使用状態が示されている。この実施形態でも、第１実施形態の例と同様の効果が得られる。また、この実施形態のバッグ１からは、袋体と、前記袋体に取り付けられ、肩にかけることが可能な持ち手と、一端部分が前記袋体に接続され該一端部分に対する他端部分が着脱可能に前記袋体に接続された袋体接続状態と、該一端部分が前記袋体に接続され該他端部分が前記持ち手に着脱自在に接続された持ち手接続状態とに状態変化可能なベルト部材と、前記袋体接続状態において、前記他端部分を覆う被覆部材とを備えたことを特徴とするバッグといった発明思想を導きだすことができる。この発明思想において、前記被覆部材は、前記ベルト部材に取り付けられたものであってもよい。また、前記被覆部材は、布製のものであってもよい。また、前記ベルト部材は、前記他端部分に、前記袋体に接続される他端側接続部材が設けられたものであってもよい。また、前記袋体は、前記他端側接続部材が接続される袋体接続部材が設けられたものであってもよい。なお、この実施形態における布片５７は、この発明思想における被覆部材の一例に相当する。
【０１００】
図１５（ａ）は、第５実施形態のバッグの正面図である。図１５（ｂ）は、図１５（ａ）に示すバッグの背面図である。
【０１０１】
第５実施形態のバッグ１は、規制部材６及び第１接続部材３１が設けられていない。この第５実施形態のバッグ１の袋体接続部材は、図１５（ｂ）に示すように、第２胴２２に取り付けられた矩形リング状の袋体矩形状接続部材９７によって構成されている。この袋体矩形状接続部材９７は、袋体２の右下角部近傍において第２胴２２に固定されている。第２接続部材は、第４実施形態と同様、楕円形をしたリング状の第２環状接続部材９５によって構成されている。
【０１０２】
ベルト部材５は、長尺状の平帯５１と、その平帯５１よりも幅広の幅広帯５８と、他端側接続部材５３と、長さ調整部材５４とを備えている。幅広帯５８の一端側部分は、第１胴２１に貼り付けられている。第１胴２１に貼り付けられたその一端側部分は、袋体２の左下角部から袋体２の右上角部近傍に連なっている。平帯５１の一端は、幅広帯５８の他端側部分に固定されている。平帯５１の他端部分には、他端側接続部材５３が取り付けられている。この他端側接続部材５３は、第４実施形態と同様、他端側リング部材５３１と、その他端側リング部材５３１に取り付けられたフック状の他端側鉤部材９６によって構成されている。
【０１０３】
第１持ち手３および第２持ち手４は、袋体２の右上角部近傍で袋体２の外側面に取り付けられている。この第１持ち手３および第２持ち手４は、図１５（ａ）における右上側に袋体２から斜めに突出したアーチ状に形成されている。
【０１０４】
図１５（ａ）および図１５（ｂ）には、ベルト部材５の一端部分と他端部分それぞれが袋体２に接続された袋体接続状態が示されている。図１５（ｂ）に示すように、袋体接続状態では、他端側鉤部材９６が、袋体矩形状接続部材９７に引っかけられることでベルト部材５の他端部分が袋体２に着脱自在に接続されている。
【０１０５】
図１６（ａ）は、図１５に示すバッグを持ち手接続状態にし、第１持ち手および第２持ち手を使用者の左肩にかけて使用する場合のバッグおよび使用者を、使用者の正面側から見た図である。また、図１６（ｂ）は、図１６（ａ）に示したバッグおよび使用者を、使用者の背面側から見た図である。
【０１０６】
図１６には、第１胴２１を胴体側に配置した状態が示されている。持ち手接続状態では、他端側鉤部材９６が、第２環状接続部材９５に接続されることで、ベルト部材５の他端部分は、持ち手４に着脱自在に接続されている。この持ち手接続状態では、長さ調整部材５４によってベルト部材５の長さを調整し、ベルト部材５と袋体２との間に使用者Ｈの胴体を入れることが可能な程度にベルト部材５を袋体２から離間させている。図１６では、その離間したベルト部材５と袋体２の間に使用者Ｈの胴体が通された使用状態が示されている。この実施形態でも、第１実施形態の例と同様の効果が得られる。また、この実施形態では、第１持ち手および第２持ち手を、袋体２の右上側に斜めに突出したアーチ状に形成しているので、図１６（ｂ）に示すように、上述の使用状態では袋体２の左右両辺が鉛直方向に近い状態で使用者Ｈの背中に配置される。こうすることで、袋体２が揺れ動くことがより抑制され、使用者Ｈは袋体２を安定した姿勢で所持できる。
【０１０７】
図１７（ａ）は、第６実施形態のバッグの正面図である。図１７（ｂ）は、図１７（ａ）に示すバッグの背面図である。
【０１０８】
第６実施形態のバッグ１は、規制部材６及び第１接続部材３１が設けられていない。この第６実施形態のバッグ１の袋体接続部材は、図１７（ｂ）に示すように、袋体２の下端近傍に取り付けられた矩形リング状の袋体矩形状接続部材９８によって構成されている。この袋体矩形状接続部材９８は、袋体２の左辺に一部分が固定され、他の部分が左辺よりも左側に突出している。第２接続部材は、内側に第２持ち手４が通された円形リング状の第２環状接続部材９９によって構成されている。
【０１０９】
ベルト部材５は、長尺状の平帯５１と、一端側接続部材５２と、長さ調整部材５４とを備えている。平帯５１の他端部分は、第２環状接続部材９９に固定されている。すなわち、この実施形態のベルト部材５は、第２持ち手４に着脱不能に接続されている。ベルト部材５の一端に設けられた一端側接続部材５２は、一端側リング部材５２１と、その一端側リング部材５２１に取り付けられたフック状の一端側鉤部材１００によって構成されている。また、袋体２の右上部分には、袋体２の右辺に対して傾斜した傾斜部２０が形成されている。本実施形態のバッグ１では、袋体２上端辺と傾斜部２０によって開口部２ａが画定されている。この実施形態の第１持ち手３および第２持ち手４の下端部分は、袋体２の傾斜部２０両端部分に取り付けられている。
【０１１０】
図１７には、ベルト部材５の一端部分が袋体２に接続され、ベルト部材５の他端部分が持ち手４に接続された持ち手接続状態が示されている。図１７に示す持ち手接続状態では、第２環状接続部材９９が袋体２の右辺上端部近傍に位置し、その位置にある第２環状接続部材９９にベルト部材５の他端部分が接続されている。また、図１７（ｂ）に示すように、一端側鉤部材１００が袋体矩形状接続部材９８に引っかけられることでベルト部材５の一端部分が袋体２に着脱自在に接続されている。以下、この図１７に示す持ち手接続状態を第１使用状態と称することがある。この第１使用状態は、ベルト部材５を利用しないで、単に第１持ち手および第２持ち手を使用者Ｈの肩にかけ、或いは第１持ち手および第２持ち手を使用者Ｈが手で掴んで使用することを想定した状態である。
【０１１１】
図１８（ａ）は、図１７に示すバッグの第１持ち手および第２持ち手を使用者の左肩にかけ、ベルト部材とバッグの間に使用者の胴体を通した様子を使用者の正面側から見た図である。また、（ｂ）は、（ａ）に示したバッグおよび使用者を、使用者の背面側から見た図である。また、図１８（ｂ）は、図１８（ａ）に示したバッグおよび使用者を、使用者の背面側から見た図である。
【０１１２】
図１８には、第１胴２１を胴体側に配置した状態が示されている。図１８に示す持ち手接続状態では、長さ調整部材５４によってベルト部材５の長さを調整し、ベルト部材５と袋体２との間に使用者Ｈの胴体を入れることが可能な程度にベルト部材５を袋体２から離間させている。以下、この図１８に示す持ち手接続状態を第２使用状態と称することがある。この第２使用状態では、図１８（ａ）に示すように、第２環状接続部材９９が第２持ち手４の中央付近に位置している。この実施形態では、第１実施形態の例と同様の効果に加え、ベルト部材５の他端部分を着脱することなく、他端部分が第２持ち手４の中央付近に位置した状態と、他端部分が袋体２の右辺上端部近傍に位置した状態とに状態変化するので、使用者Ｈが他端部分の着脱作業を省略できるといった効果がある。なお、以上説明した第６実施形態のバッグ１は、上述した本発明のうちの第４から第６のバッグを除く実施形態に相当する。
【０１１３】
以上説明した第１実施形態から第６実施形態までのバッグ１からは、袋体と、前記袋体に取り付けられ、肩にかけることが可能な持ち手と、一端部分が前記袋体に接続されたベルト部材とを備え、前記ベルト部材は、前記一端部分に対する他端部分が第１の位置にある第１状態（例えば、図１および図１７）と、該他端部分が前記第１の位置とは異なる第２の位置にある第２状態（例えば、図２および図１８）とに状態変化可能なものであって、該第２状態では、前記持ち手がかけられた使用者の肩とは反対側の肩が存在する体側に向かって該袋体および該持ち手を引っ張り、該袋体の一部が使用者の背中に接触した状態を維持するものであることを特徴とするバッグといった発明思想を導きだすことができる。この発明思想によれば、使用者の肩からバッグの持ち手がずれ落ちることが抑制される上に、袋体の一部が使用者の背中に接触した状態が維持されるので袋体が揺れ動くことが抑制され、袋体を安定した姿勢で所持できる。
【０１１４】
また、第１実施形態から第６実施形態までのバッグ１からは、第１胴と第２胴との間に収納空間を有し、該収納空間につながる開口部を上端部分に備えた袋体と、前記袋体の第１胴に取り付けられ、肩にかけることが可能な第１持ち手と、前記袋体の第２胴に取り付けられ、肩にかけることが可能な第２持ち手と、第１の位置から前記袋体に接続された第１状態（例えば、図１および図１７）と、前記第１の位置とは異なる、前記第２持ち手の所定位置から、前記第１胴側を通って前記袋体に接続された第２状態（例えば、図２および図１８）とに状態変化可能なものであって、少なくとも該第２状態では、該第１胴側を通る部分が該第１胴とは離間自在なベルト部材とを備えたことを特徴とするバッグといった発明思想を導きだすことができる。この発明思想によれば、バッグの第２持ち手が使用者の肩からずれ落ちることが抑制される上に、第２持ち手が取り付けられた第２胴よりも使用者の胴体に近い位置に第１胴を配置して使用することで袋体の開口部が開いてしまうことを抑制できる。
【０１１５】
以上説明したように、本実施形態のバッグ１は、持ち手３、４を肩にかけて使用する場合に袋体２を安定した姿勢で所持できる。
【０１１６】
本発明は上述の実施の形態に限られることなく特許請求の範囲に記載した範囲で種々の変更を行うことが出来る。たとえば、第１胴２１と第２胴２２との間に、第１胴２１と第２胴２２をつなぐマチを設けても良い。その場合、持ち手を、第１胴２１と第２胴２２をつなぐマチ部分に下端が取り付けられたいわゆる一本手にしてもよい。また、マチを設けた場合、袋体接続部材２５をマチの部分に設けてもよい。また、持ち手を、第１胴２１と第２胴２２の双方をつなぐように取り付けたいわゆる一本手にしてもよい。
【０１１７】
なお、以上説明した各実施形態や変形例の記載それぞれにのみ含まれている構成要件であっても、その構成要件を他の実施形態や変形例に適用してもよい。
【符号の説明】
【０１１８】
１    バッグ
２    袋体
３    第１持ち手
４    第２持ち手
５    ベルト部材
２１    第１胴
２２    第２胴
５４    長さ調整部材
Ｈ    使用者
【図１】
0005362063.tif 000002
【図２】
0005362063.tif 000003
【図３】
0005362063.tif 000004
【図４】
0005362063.tif 000005
【図５】
0005362063.tif 000006
【図６】
0005362063.tif 000007
【図７】
0005362063.tif 000008
【図８】
0005362063.tif 000009
【図９】
0005362063.tif 000010
【図１０】
0005362063.tif 000011
【図１１】
0005362063.tif 000012
【図１２】
0005362063.tif 000013
【図１３】
0005362063.tif 000014
【図１４】
0005362063.tif 000015
【図１５】
0005362063.tif 000016
【図１６】
0005362063.tif 000017
【図１７】
0005362063.tif 000018
【図１８】
0005362063.tif 000019